(57)【要約】【課題】  第１の入力手段が選択され、第１の入力手段に音声信号が入力されている際に、第２の入力手段に音声信号が入力開始された場合に、最適な入力手段を選択する。【解決手段】  第１の入力手段が選択手段によって選択され、かつ、第１の入力信号が入力されている状態で、第２の入力信号が入力開始されたことが検出された場合に、第２の入力手段の優先度が、第１の入力手段の優先度よりも大きいか否かが判断され、第２の入力手段の優先度が第１の入力手段の優先度よりも大きい場合、選択手段は第２の入力手段を選択する。従って、第１の入力手段が選択され、第１の入力手段に音声信号が入力されている際に、第２の入力手段に入力信号が入力開始された場合にも、ユーザの意向にあった最適な入力手段を選択することができる。【選択図】図４
2010113780.tif 000002
【特許請求の範囲】
【請求項１】
入力信号が入力される複数の入力手段と、
前記複数の入力手段の中から１つの入力手段を選択する選択手段と、
前記各入力手段の優先度を設定する優先度設定手段と、
第１の入力信号が入力される第１の入力手段が前記選択手段によって選択され、かつ、前記第１の入力信号が入力されている状態で、第２の入力信号が入力開始されたことが検出された場合に、前記第２の入力信号が入力される第２の入力手段の優先度が、前記第１の入力手段の優先度よりも大きいか否かを判断する判断手段と、
前記第２の入力手段の優先度が、前記第１の入力手段の優先度よりも大きいと判断された場合、前記選択手段に前記第２の入力手段を選択させる制御手段とを備える、入力選択装置。
【請求項２】
前記第２の入力手段の優先度が、前記第１の入力手段の優先度よりも小さいと判断された場合、前記判断手段が、前記選択手段に前記第２の入力手段を選択させる指示がユーザ操作によって入力されたか否かをさらに判断し、
前記選択手段に前記第２の入力手段を選択させる指示がユーザ操作によって入力された場合、前記制御手段が、前記選択手段に前記第２の入力手段を選択させ、前記選択手段に前記第２の入力手段を選択させない指示がユーザ操作によって入力された場合、前記制御手段が、前記選択手段に前記第１の入力手段の選択を継続させる、請求項１に記載の入力選択装置。
【請求項３】
前記優先度設定手段が、ユーザ操作に基づいて前記優先度を設定する、請求項１または２に記載の入力選択装置。
【請求項４】
前記優先度設定手段が、下記式１に基づいて優先度を算出する、請求項１〜３のいずれかに記載の入力選択装置。
【数１】
2010113780.tif 000006
ここで、得点合計は、前記入力手段が選択されていた選択時間を、選択時から現在までに経過した時間で除算した値である得点の前記入力手段毎の合計であり、選択回数は、前記入力手段に入力信号が入力開始されたことが検出されたときに、その入力手段が前記選択手段によって選択された回数であり、トータル選択回数は、全ての入力手段に対する入力信号が入力開始されたことが検出された回数である。
【請求項５】
前記優先度設定手段が、前記式１にさらに学習係数を加算し、優先度を算出する、請求項４に記載の入力選択装置。
ここで、学習係数は、優先度が低い方の前記入力手段に対する入力信号の入力開始が検出されたときに優先度が低い方の前記入力手段が選択された回数を、優先度が低い方の前記入力手段に対する入力信号が入力開始された回数で除算した値である。
【請求項６】
請求項１〜５のいずれかに記載の入力選択装置の各手段をコンピュータに実行させる、入力信号選択プログラム。
【発明の詳細な説明】
【技術分野】
【０００１】
本発明は、入力信号が入力される複数の入力手段の中から１つの入力手段を選択する入力選択装置に関する。
【背景技術】
【０００２】
増幅装置は、複数の音声入力端子（以下、入力端子という。）を備えており、各入力端子には、ＣＤプレーヤ、ＤＶＤプレーヤ、ＭＤプレーヤ等の再生装置が接続され、これらの機器から音声信号が入力される。また、増幅装置には、ＣＤプレーヤ、ＤＶＤプレーヤ、ＭＤプレーヤ等の再生装置が内蔵されている場合もある。増幅装置はセレクタ部を備えており、セレクタ部は各入力端子や内蔵された再生装置（これらを総称して、入力手段という。）の中から１つの入力手段を選択する。選択された入力手段に入力される音声信号は増幅装置の増幅回路によって増幅されて、スピーカーから音声が再生される。一般的には、セレクタ部は、ユーザ操作によって１つの入力手段を選択する。
【０００３】
また、各入力手段に音声信号が入力開始されたことをマイコンによって検出し、セレクタ部がその入力手段を選択することにより、ユーザ操作によらずにセレクタ部が入力手段を選択する技術が提案されている。しかし、この技術によると、第１の入力手段が選択され、第１の入力手段に音声信号が入力されている際に、第２の入力手段に音声信号が入力開始された場合に、どちらの入力手段を選択すべきであるか不明であるという問題がある。
【０００４】
【特許文献１】特開２０００−１４８１１２号公報
【発明の開示】
【発明が解決しようとする課題】
【０００５】
本発明は上記従来の課題を解決するためのものであり、その目的は、第１の入力手段が選択され、第１の入力手段に音声信号が入力されている際に、第２の入力手段に音声信号が入力開始された場合に、最適な入力手段を選択する入力選択装置を提供することである。
【課題を解決するための手段】
【０００６】
本発明の好ましい実施形態による入力選択装置は、入力信号が入力される複数の入力手段と、前記複数の入力手段の中から１つの入力手段を選択する選択手段と、前記各入力手段の優先度を設定する優先度設定手段と、第１の入力信号が入力される第１の入力手段が前記選択手段によって選択され、かつ、前記第１の入力信号が入力されている状態で、第２の入力信号が入力開始されたことが検出された場合に、前記第２の入力信号が入力される第２の入力手段の優先度が、前記第１の入力手段の優先度よりも大きいか否かを判断する判断手段と、前記第２の入力手段の優先度が、前記第１の入力手段の優先度よりも大きいと判断された場合、前記選択手段に前記第２の入力手段を選択させる制御手段とを備える。
【０００７】
第１の入力手段が選択手段によって選択され、かつ、第１の入力信号が入力されている状態で、第２の入力信号が入力開始されたことが検出された場合に、第２の入力手段の優先度が、第１の入力手段の優先度よりも大きいか否かが判断され、第２の入力手段の優先度が第１の入力手段の優先度よりも大きい場合、選択手段は第２の入力手段を選択する。従って、第１の入力手段が選択され、第１の入力手段に音声信号が入力されている際に、第２の入力手段に入力信号が入力開始された場合にも、ユーザの意向にあった最適な入力手段を選択することができる。
【０００８】
好ましい実施形態においては、前記第２の入力手段の優先度が、前記第１の入力手段の優先度よりも小さいと判断された場合、前記判断手段が、前記選択手段に前記第２の入力手段を選択させる指示がユーザ操作によって入力されたか否かをさらに判断し、前記選択手段に前記第２の入力手段を選択させる指示がユーザ操作によって入力された場合、前記制御手段が、前記選択手段に前記第２の入力手段を選択させ、前記選択手段に前記第２の入力手段を選択させない指示がユーザ操作によって入力された場合、前記制御手段が、前記選択手段に前記第１の入力手段の選択を継続させる。
【０００９】
第２の入力手段の優先度が第１の入力手段の優先度よりも小さい場合、選択手段に第２の入力手段を選択させる指示がユーザ操作によって入力されたときは、選択手段が第２の入力手段を選択し、選択手段に第２の入力手段を選択させない指示がユーザ操作によって入力されたときは、選択手段は第１の入力手段の選択を継続する。従って、さらにユーザの意向にあった最適な入力手段を選択することができる。
【００１０】
好ましい実施形態においては、前記優先度設定手段が、ユーザ操作に基づいて前記優先度を設定する。
【００１１】
好ましい実施形態においては、前記優先度設定手段が、下記式１に基づいて優先度を算出する。
【数２】
2010113780.tif 000003
ここで、得点合計は、前記入力手段が選択されていた選択時間を、選択時から現在までに経過した時間で除算した値である得点の前記入力手段毎の合計であり、選択回数は、前記入力手段に入力信号が入力開始されたことが検出されたときに、その入力手段が前記選択手段によって選択された回数であり、トータル選択回数は、全ての入力手段に対する入力信号が入力開始されたことが検出された回数である。
【００１２】
好ましい実施形態においては、前記優先度設定手段が、前記式１にさらに学習係数を加算し、優先度を算出する。ここで、学習係数は、優先度が低い方の前記入力手段に対する入力信号の入力開始が検出されたときに優先度が低い方の前記入力手段が選択された回数を、優先度が低い方の前記入力手段に対する入力信号が入力開始された回数で除算した値である。
【発明の効果】
【００１３】
第１の入力手段が選択手段によって選択され、かつ、第１の入力信号が入力されている状態で、第２の入力信号が入力開始されたことが検出された場合に、第２の入力手段の優先度が、第１の入力手段の優先度よりも大きいか否かが判断され、第２の入力手段の優先度が第１の入力手段の優先度よりも大きい場合、選択手段は第２の入力手段を選択する。従って、第１の入力手段が選択され、第１の入力手段に音声信号が入力されている際に、第２の入力手段に入力信号が入力開始された場合にも、ユーザの意向にあった最適な入力手段を選択することができる。
【発明を実施するための最良の形態】
【００１４】
以下、本発明の好ましい実施形態について、図面を参照して具体的に説明するが、本発明はこれらの実施形態には限定されない。図１は、本発明の好ましい実施形態による入力選択装置としての機能を含む増幅装置１の構成を示す概略ブロック図である。増幅装置１は、例えば、マイコン等の制御手段１１、セレクタ部１２、リモコン信号受信部１３、複数の音声入力端子（以下、入力端子という。）１４ａ、１４ｂ、増幅回路１５、音声出力端子１６、操作部１７、表示部１８等を備える。複数の入力端子１４ａ、１４ｂには音声信号を供給する再生装置が接続可能であり、本例では、入力端子１４ａにＣＤプレーヤ２１が、入力端子１４ｂにＤＶＤプレーヤ２２が接続されている。ＣＤプレーヤ２１、ＤＶＤプレーヤ２２等の再生装置は増幅装置１内に内蔵されていてもよい。入力端子１４ａ、１４ｂや、増幅装置１に内蔵されている再生装置を、総称して、入力手段という。
【００１５】
ＣＤプレーヤ２１は挿入されたＣＤディスクに記録されている音声データを再生し、音声信号を入力端子１４ａに供給する。入力端子１４ａに供給された音声信号は、マイコン１１のＡＤポート１１ａに供給され、かつ、セレクタ部１２に供給される。ＤＶＤプレーヤ２２は挿入されたＤＶＤディスクに記録されている音声データを再生し、音声信号を入力端子１４ｂに供給する。入力端子１４ｂに供給された音声信号は、マイコン１１のＡＤポート１１ｂに供給され、かつ、セレクタ部１２に供給される。
【００１６】
セレクタ部１２は、入力される複数の音声信号の中から１つの音声信号を選択する。つまり、セレクタ部１２は、複数の入力端子１４ａ、１４ｂの中から入力端子を１つ選択する。選択された入力端子に供給される音声信号は、増幅回路１５で増幅され、音声出力端子１６を介して、図示しないスピーカーを介して音声として出力される。
【００１７】
操作部１７は、ユーザによって操作され、当該操作に対応する操作信号をマイコン１１に供給する。リモコン信号受信部１３は、リモコン送信機３０から受信した赤外線のリモコン信号を電気信号に変換し、マイコン１１に供給する。表示部１８は、選択されている入力端子１４ａ、１４ｂに関する情報、又は、後述する処理によって入力端子１４ａ、１４ｂを選択するか否かをユーザに問い合わせる画面を表示するものであり、ＬＣＤやＦＬ管等である。
【００１８】
マイコン１１は、増幅装置１の各部を制御するものである。マイコン１１は、内蔵又は接続されたメモリ１１ｃに格納されている入力選択装置の動作プログラムに基づいて以下で説明する各処理を実行する。
【００１９】
マイコン１１は、ＡＤポート１１ａ、１１ｂを有している。ＡＤポート１１ａには入力端子１４ａが接続され、入力端子１４ａから音声信号が供給される。ＡＤポート１１ｂには入力端子１４ｂが接続され、入力端子１４ｂから音声信号が供給される。マイコン１１は、ＡＤポート１１ａ、１１ｂに入力される音声信号をＡＤ（アナログ−デジタル）変換し、レベルを判別することによって、入力端子１４ａ、１４ｂへの音声信号の入力有無を判断する。また、マイコン１１は、ＡＤポート１１ａ、１１ｂに入力される音声信号の立ち上がりエッジを検出することによって、入力端子１４ａ、１４ｂに音声信号が入力開始されたことを判断する。
【００２０】
マイコン１１は、複数の入力端子１４ａ、１４ｂに対応付けて優先度を設定し、メモリ１１ｃに記憶する。優先度は、本例においては、ユーザ操作によって設定される。マイコン１１は、入力端子１４ａ及び１４ｂに音声信号が入力されていない場合に、入力端子１４ａ又は１４ｂへの音声信号の入力開始が検出されると、検出された入力端子１４ａ又は１４ｂを選択するようにセレクタ部１２を制御する。
【００２１】
一方、入力端子１４ａが選択され、入力端子１４ａに音声信号が入力されている場合に、入力端子１４ｂへの音声信号の入力開始が検出されると、マイコン１１は、入力端子１４ｂの優先度が入力端子１４ａの優先度よりも大きければ、入力端子１４ｂを選択するようにセレクタ部１２を制御し、入力端子１４ｂの優先度が入力端子１４ａの優先度よりも小さければ、入力端子１４ｂを選択するか否かを問い合わせる画面を表示部１８に表示させ、ユーザ操作によって入力端子１４ｂを選択する指示が入力された場合に、入力端子１４ｂを選択するようにセレクタ部１２を制御する。
【００２２】
同様に、入力端子１４ｂが選択され、入力端子１４ｂに音声信号が入力されている場合に、入力端子１４ａへの音声信号の入力開始が検出されると、マイコン１１は、入力端子１４ａの優先度が入力端子１４ｂの優先度よりも大きければ、入力端子１４ａを選択するようにセレクタ部１２を制御し、入力端子１４ａの優先度が入力端子１４ｂの優先度よりも小さければ、入力端子１４ａを選択するか否かを問い合わせる画面を表示部１８に表示させ、ユーザ操作によって入力端子１４ａを選択する指示が入力された場合に、入力端子１４ａを選択するようにセレクタ部１２を制御する。
【００２３】
以下、本例の動作を説明する。
図２は、マイコン１１の優先度設定処理を示すフローチャートである。マイコン１１は、ユーザ操作によって優先度の設定指示が入力されると、その指示が入力端子１４ａの優先度を入力端子１４ｂの優先度よりも大にする指示であるか否かを判断する（Ｓ１）。入力端子１４ａの優先度を入力端子１４ｂの優先度よりも大にする指示である場合（Ｓ１でＹＥＳ）、マイコン１１は、入力端子１４ａの優先度を入力端子１４ｂの優先度よりも大に設定し、メモリ１１ｃに記憶する（Ｓ２）。一方、入力端子１４ｂの優先度を入力端子１４ａの優先度よりも大にする指示である場合（Ｓ１でＮＯ）、マイコン１１は、入力端子１４ｂの優先度を入力端子１４ａの優先度よりも大に設定し、メモリ１１ｃに記憶する（Ｓ３）。なお、入力端子１４ａ、１４ｂの優先度は、例えば、数値で設定してもよく、優先度の順位で設定してもよい。
【００２４】
図３は、マイコン１１による入力信号の検出処理を示すフローチャートである。マイコン１１は、入力端子１４ａが選択され、かつ、入力端子１４ａにＣＤプレーヤ２１から音声信号が入力中であるか否かを判断する（Ｓ１１）。入力端子１４ａが選択されていない、又は、入力端子１４ａにＣＤプレーヤ２１から音声信号が入力中でない場合（Ｓ１１でＮＯ）、Ｓ１２に進む。入力端子１４ａが選択され、かつ、入力端子１４ａにＣＤプレーヤ２１から音声信号が入力中である場合（Ｓ１１でＹＥＳ）、入力端子選択処理Ａ（Ｓ１５）に進む。Ｓ１５の詳細を図４のフローチャートに示す。
【００２５】
図４に示すように、マイコン１１は、入力端子１４ｂにＤＶＤプレーヤ２２から音声信号が入力開始されたか（つまり、音声信号の立ち上がりエッジを検出したか）否かを判断する（Ｓ２１）。入力端子１４ｂにＤＶＤプレーヤ２２から音声信号が入力開始されない場合（Ｓ２１でＮＯ）、処理を終了する。これにより、セレクタ部１２は、入力端子１４ａの選択を維持し、ＣＤプレーヤ２１からの音声信号が継続してスピーカーから再生される。
【００２６】
入力端子１４ｂにＤＶＤプレーヤ２２から音声信号が入力開始された場合（Ｓ２１でＹＥＳ）、マイコン１１は、入力端子１４ｂの優先度が入力端子１４ａの優先度よりも大きいか否かを判断する（Ｓ２２）。入力端子１４ｂの優先度が入力端子１４ａの優先度よりも大きい場合（Ｓ２２でＹＥＳ）、マイコン１１は、入力端子１４ｂを選択するようにセレクタ部１２を制御する（Ｓ２３）。これにより、セレクタ部１２は、選択する入力端子を入力端子１４ａから入力端子１４ｂに切り換え、ＤＶＤプレーヤ２２からの音声信号がスピーカーから再生されるようになる。
【００２７】
一方、入力端子１４ｂの優先度が入力端子１４ａの優先度よりも小さい場合（Ｓ２２でＮＯ）、マイコン１１は、図５に示すように、入力端子１４ｂ（ＤＶＤプレーヤ２２）を選択するか否かをユーザに問い合わせる画面を表示部１８に表示させる（Ｓ２４）。マイコン１１は、ユーザ操作によって入力端子１４ｂを選択する指示が入力されたか否かを判断する（Ｓ２５）。ユーザ操作によって入力端子１４ｂを選択する指示が入力された（図５で「はい」が選択された）場合（Ｓ２５でＹＥＳ）、マイコン１１は、入力端子１４ｂを選択するようにセレクタ部１２を制御する（Ｓ２３）。これにより、セレクタ部１２は、選択する入力端子を入力端子１４ａから入力端子１４ｂに切り換え、ＤＶＤプレーヤ２２からの音声信号がスピーカーから再生されるようになる。一方、ユーザ操作によって入力端子１４ｂを選択しない指示が入力された（図５で「いいえ」が選択された）場合（Ｓ２５でＮＯ）、処理を終了する。これにより、セレクタ部１２は、入力端子１４ａの選択を維持し、ＣＤプレーヤ２１からの音声信号が継続してスピーカーから再生される。
【００２８】
図３に戻って、Ｓ１２において、マイコン１１は、入力端子１４ｂが選択され、かつ、入力端子１４ｂにＤＶＤプレーヤ２２から音声信号が入力中であるか否かを判断する（Ｓ１２）。入力端子１４ｂが選択されていない、又は、入力端子１４ｂにＤＶＤプレーヤ２２から音声信号が入力中でない場合（Ｓ１２でＮＯ）、Ｓ１３に進む。入力端子１４ｂが選択され、かつ、入力端子１４ｂにＤＶＤプレーヤ２２から音声信号が入力中である場合（Ｓ１２でＹＥＳ）、入力端子選択処理Ｂ（Ｓ１６）に進む。Ｓ１６の詳細を図６のフローチャートに示す。
【００２９】
図６に示すように、マイコン１１は、入力端子１４ａにＣＤプレーヤ２１から音声信号が入力開始されたか（つまり、音声信号の立ち上がりエッジを検出したか）否かを判断する（Ｓ３１）。入力端子１４ａにＣＤプレーヤ２１から音声信号が入力開始されない場合（Ｓ３１でＮＯ）、処理を終了する。これにより、セレクタ部１２は、入力端子１４ｂの選択を維持し、ＤＶＤプレーヤ２２からの音声信号が継続してスピーカーから再生される。
【００３０】
一方、入力端子１４ａにＣＤプレーヤ２１から音声信号が入力開始された場合（Ｓ３１でＹＥＳ）、マイコン１１は、入力端子１４ａの優先度が入力端子１４ｂの優先度よりも大きいか否かを判断する（Ｓ３２）。入力端子１４ａの優先度が入力端子１４ｂの優先度よりも大きい場合（Ｓ３２でＹＥＳ）、マイコン１１は、入力端子１４ａを選択するようにセレクタ部１２を制御する（Ｓ３３）。これにより、セレクタ部１２は、選択する入力端子を入力端子１４ｂから入力端子１４ａに切り換え、ＣＤプレーヤ２１からの音声信号がスピーカーから再生されるようになる。
【００３１】
一方、入力端子１４ａの優先度が入力端子１４ｂの優先度よりも小さい場合（Ｓ３２でＮＯ）、マイコン１１は、図７に示すように、入力端子１４ａ（ＣＤプレーヤ２１）を選択するか否かをユーザに問い合わせる画面を表示部１８に表示させる。マイコン１１は、ユーザ操作によって入力端子１４ａを選択する指示が入力されたか否かを判断する（Ｓ３５）。ユーザ操作によって入力端子１４ａを選択する指示が入力された（図７で「はい」が選択された）場合（Ｓ３５でＹＥＳ）、マイコン１１は、入力端子１４ａを選択するようにセレクタ部１２を制御する（Ｓ３３）。これにより、セレクタ部１２は、選択する入力端子を入力端子１４ｂから入力端子１４ａに切り換え、ＣＤプレーヤ２１からの音声信号がスピーカーから再生されるようになる。一方、ユーザ操作によって入力端子１４ａを選択しない指示が入力された（図７で「いいえ」が選択された）場合（Ｓ３５でＮＯ）、処理を終了する。これにより、セレクタ部１２は、入力端子１４ｂの選択を維持し、ＤＶＤプレーヤ２２からの音声信号が継続してスピーカーから再生される。
【００３２】
図３に戻って、マイコン１１は、入力端子１４ａ及び１４ｂに音声信号が入力されていない状態から、入力端子１４ａに音声信号が入力開始されたか（音声信号の立ち上がりエッジを検出したか）否かを判断する（Ｓ１３）。入力端子１４ａに音声信号が入力開始された場合（Ｓ１３でＹＥＳ）、マイコン１１は、入力端子１４ａを選択するようにセレクタ部１２を制御する（Ｓ１７）。これにより、セレクタ部１２は入力端子１４ａを選択し、ＣＤプレーヤ２１からの音声信号がスピーカーから再生されるようになる。
【００３３】
一方、入力端子１４ａに音声信号が入力開始されない場合（Ｓ１３でＮＯ）、マイコン１１は、入力端子１４ａ及び１４ｂに音声信号が入力されていない状態から、入力端子１４ｂに音声信号が入力開始されたか（音声信号の立ち上がりエッジを検出したか）否かを判断する（Ｓ１４）。入力端子１４ｂに音声信号が入力開始された場合（Ｓ１４でＹＥＳ）、マイコン１１は、入力端子１４ｂを選択するようにセレクタ部１２を制御する（Ｓ１８）。これにより、セレクタ部１２は入力端子１４ｂを選択し、ＤＶＤプレーヤ２２からの音声信号がスピーカーから再生されるようになる。入力端子１４ｂに音声信号が入力開始されない場合（Ｓ１４でＮＯ）、処理を終了する。
【００３４】
以上のように、優先度を設定することによって、複数の入力端子に音声信号が供給される場合であっても、ユーザが所望する方の入力端子を自動的に選択することができる。なお、入力端子が２つの場合に限らず、３つ以上場合も同様である。また、セレクタ部１２が選択する入力手段として、増幅装置１に内蔵されているＭＤプレーヤや、ＦＭチューナ等の場合にも、上記と同様の処理を実行できる。
【００３５】
次に、本発明の別の好ましい実施形態を説明する。本例では、優先度をユーザ操作で設定する代わりに、入力端子１４ａ、１４ｂの選択履歴に基づいて、マイコン１１が自動的に算出する。メモリ１１ｃには、図８に示す操作履歴テーブルと、図９に示す優先度テーブルとが格納されている。図８の操作履歴テーブルは、各選択履歴番号に対応付けて、選択された入力端子と、その入力端子が選択されていた時間と、その入力端子の選択時（選択開始時又は選択終了時）から現在までに経過した時間（すなわち、どのくらい前に選択されたかを示す）と、これらの値から算出される得点とが記憶される。
【００３６】
ある入力端子がセレクタ部１２によって選択されてから、別の入力端子に選択が切り換えられるまで、もしくは、ある入力端子がセレクタ部１２によって選択されてから、増幅装置１の図示しない電源部がスタンバイ状態（又は電源オフ状態）にされるまでの選択履歴情報が、１つの選択履歴番号の各項目として記憶される。例えば、選択履歴番号１については、入力端子１４ａが選択されてから増幅装置１がスタンバイ状態にされるまでの選択履歴情報（選択時間等）が記憶されている。選択履歴番号２については、入力端子１４ａが選択され、増幅装置１がスタンバイ状態から電源オン状態にされてから、入力端子１４ｂに選択が切り換えられるまでの選択履歴情報が記憶されている。
【００３７】
マイコン１１は、各選択履歴番号について、選択時間を、選択時から現在までに経過した時間で除算することによって得点を算出する。従って、選択時間が長い方が、得点が高くなり、選択時間が短い方が、得点が低くなる。また、選択時から現在までに経過した時間が長い（つまり、過去の選択であるほど）得点が低くなり、選択時から現在までに経過した時間が短い（つまり、直近の選択であるほど）得点が高くなる。なお、後述するように、得点が高い方が、優先度が高く、得点が低い方が、優先度が低くなる。
【００３８】
図９の優先度テーブルは、各入力端子１４ａ、１４ｂに対応付けて、得点合計と、選択回数と、優先度とを記憶可能である。得点合計は、図８の選択履歴テーブルにおける各入力端子１４ａ、１４ｂに記録されている全選択履歴番号の得点を加算することによって算出される。つまり、入力端子１４ａについては、７つの選択履歴番号の全得点を加算したものであり、入力端子１４ｂについては、３つの選択履歴番号の全得点を加算したものである。選択回数は、いずれかの音声信号が入力開始されたことが検出されたときに、その入力端子が選択された回数である。図９では、合計１０回音声信号の入力開始が検出され（これをトータル選択回数という。）、入力端子１４ａが７回選択され（入力端子１４ａの選択回数が７回であり）、入力端子１４ｂが３回選択された（入力端子１４ｂの選択回数が３回である）ことを示している。マイコン１１は、以下の式に基づいて、各入力端子１４ａ、１４ｂに対する優先度を算出する。
【数３】
2010113780.tif 000004
【００３９】
すなわち、得点合計が高い方が、優先度が高く、得点合計が低い方が、優先度が低くなる。また、トータル選択回数に対する選択回数が多い方が、優先度が高く、トータル選択回数に対する選択回数が少ない方が、優先度が低くなる。その結果、ユーザの意図をより反映した優先度を自動的に算出することができる。
【００４０】
好ましくは、マイコン１１は、以下の式に基づいて、各入力端子１４ａ、１４ｂに対する優先度を算出する。
【数４】
2010113780.tif 000005
【００４１】
ここで、ｙは任意の係数であり、αは学習係数である。学習係数αは、「優先度が低い方の入力端子１４ａ又は１４ｂが、優先度が低いにも関わらず、音声信号が入力開始されたときにユーザ操作によって選択された回数（つまり、図４のＳ２５又は図６のＳ３５でＹＥＳと判断された回数）」を、「優先度が低い方の入力端子１４ａ又は１４ｂに音声信号が入力開始された回数（つまり、図４のＳ２２又は図６のＳ３２でＮＯと判断された回数）」で除算することによって算出される。従って、図４のＳ２５又は図６のＳ３５でＹＥＳと判断された場合に、「優先度が低い方の入力端子１４ａ又は１４ｂが、優先度が低いにも関わらず、音声信号が入力開始されたときにユーザ操作によって選択された回数」が１増加され、図４のＳ２２又は図６のＳ３２でＮＯと判断された場合に、「優先度が低い方の入力端子１４ａ又は１４ｂに音声信号が入力開始された全回数」が１増加される。
【００４２】
学習係数を優先度に加算することによって、優先度が低い入力端子１４ａ又は１４ｂが、音声信号が入力開始されたときにユーザ操作によって多く選択されている場合には、その入力端子の優先度が高くなるように優先度が学習係数αによって補正される。これにより、ユーザの意向に合わせた優先度を自動的に算出できるようになる。
【００４３】
以上、本発明の好ましい実施形態を説明したが、本発明はこれらの実施形態には限定されない。音声信号以外に、映像信号に対しても本発明を適用することができる。本発明は、上記の動作をコンピュータに実行させるためのコンピュータプログラムという形態で提供することもできる。
【産業上の利用可能性】
【００４４】
本発明は、システムコンポ、ＡＶアンプ、ＰＣ等に好適に採用され得る。
【図面の簡単な説明】
【００４５】
【図１】増幅装置１の構成示す概略ブロック図である。
【図２】マイコン１１の優先度設定処理を示すフローチャートである。
【図３】マイコン１１の入力チェック処理を示すフローチャートである。
【図４】マイコン１１の入力端子選択処理を示すフローチャートである。
【図５】入力端子を選択するか否かをユーザに問い合わせる画面を示す図である。
【図６】マイコン１１の入力端子選択処理を示すフローチャートである。
【図７】入力端子を選択するか否かをユーザに問い合わせる画面を示す図である。
【図８】操作履歴テーブルを示す図である。
【図９】優先度テーブルを示す図である。
【符号の説明】
【００４６】
１              増幅装置
１１            マイコン
１２            セレクタ部
１３            リモコン信号受信部
１４            入力端子
１５            増幅回路
１６            音声出力端子
１７            操作部
１８            表示部
２１            ＣＤプレーヤ
２２            ＤＶＤプレーヤ
【図１】
2010113780.tif 000007
【図２】
2010113780.tif 000008
【図３】
2010113780.tif 000009
【図４】
2010113780.tif 000010
【図５】
2010113780.tif 000011
【図６】
2010113780.tif 000012
【図７】
2010113780.tif 000013
【図８】
2010113780.tif 000014
【図９】
2010113780.tif 000015